(57)【特許請求の範囲】
【請求項１】
変位を許容する伸縮部と、前記伸縮部に延設され端縁部に設けられた固定用の凸条部とを備える可撓止水部材を構造物の目地部に固定する可撓止水部材用の固定部材であって、
前記固定部材は、
前記構造物に取り付けられたアンカーボルトに長穴を介して締め付けられる締結部と、
前記締結部の一端に延設され前記可撓止水部材の前記凸条部を覆って前記凸条部の締め付けに伴う膨らみを抑制し回転を抑える溝側壁部を備える溝部と、
前記締結部の他端に延設され前記構造物表面に当てられて前記締結部と前記構造物との間に空間を形成する端縁支持部とを備えて一体として構成され、
前記固定部材は、前記アンカーボルトを中心に回転しない幅を有している、
ことを特徴とする可撓止水部材用の固定部材。
【請求項２】
前記締結部は、前記溝部より前記構造物表面からの距離が小さく形成されている、
ことを特徴とする請求項１に記載の可撓止水部材用の固定部材。
【請求項３】
前記端縁支持部は、前記締結部との間に、整流部が一体に形成されている、
ことを特徴とする請求項１または２に記載の可撓止水部材用の固定部材。
【請求項４】
前記固定部材は、隣接する前記固定部材同士の隙間をシールするシール部材を備える、
ことを特徴とする請求項１乃至３のいずれかに記載の可撓止水部材用の固定部材。
【請求項５】
前記固定部材は、前記構造物の目地間を跨ぐ前記可撓止水部材の両端縁部を固定する、
ことを特徴とする請求項１乃至４のいずれかに記載の可撓止水部材用の固定部材。
【請求項６】
前記固定部材は、前記構造物の目地間に一端部が埋設固定される前記可撓止水部材の他端縁部を固定する、
ことを特徴とする請求項１乃至４のいずれかに記載の可撓止水部材用の固定部材。
【発明の詳細な説明】
【技術分野】
【０００１】
本発明は、可撓止水部材用の固定部材に関する。
【背景技術】
【０００２】
ボックスカルバートやコンクリート製の構造物などの目地部には、内外を止水するとともに、その両側の構造物の不等沈下や地震時変位並びに温度変化等に起因する壁部分の伸縮等を許容する必要があり、目地部を跨ぐ構造物間や目地部の内側にゴムや合成樹脂の止水板などの可撓止水部材が設けられる。
【０００３】
可撓止水部材は、目地部の一方の構造物の表面や目地部の両側の構造物の表面の長手方向に沿ってアンカーボルトを植設しておき、可撓止水部材に形成しておいたボルト穴をアンカーボルトに差し込み、押え板を介してナットで締め付けて固定していた。
【０００４】
アンカーボルトは、構造物への植設のピッチが鉄筋との干渉など施工上の問題などで一定でなく、可撓止水部材のボルト穴や押え板のアンカーボルトの穴の位置を変更しなければならない場合が多々あり、その都度製作の手直しが必要になっている。
そこで、可撓止水部材にボルト穴を形成せず、押え板だけをアンカーボルトに締め付けることで、可撓止水部材を固定できるようにしたものが開示されている（特許文献１，２参照）。
【先行技術文献】
【特許文献】
【０００５】
【特許文献１】特開２０１４−２３４６５２号公報
【特許文献２】特開２０１５−１０１８６８号公報
【発明の概要】
【発明が解決しようとする課題】
【０００６】
ところが、押え板に形成するボルト穴の製作位置を変える必要をなくすためアンカーボルトの１本ずつに一つの押え板を取り付けて可撓止水部材を固定することが考えられるが、可撓止水部材に加わる水圧などによって可撓止水部材が引っ張られて構造物の表面と平行な軸回りの回転で止水性が低下したり、アンカーボルトを中心に押え板が回転（構造物の表面と垂直な軸回りの回転）し固定力が低下し、止水性が低下する恐れがあり、改良の余地がある。
【０００７】
本発明は、かかる従来技術に鑑みてなされたものであって、可撓止水部材を介して固定部材に力が加わっても回転を抑えて止水性を確保することができる可撓止水部材用の固定部材を提供することを目的とする。
【課題を解決するための手段】
【０００８】
上記目的を達成するため、本発明の可撓止水部材用の固定部材は、
変位を許容する伸縮部と、前記伸縮部に延設され端縁部に設けられた固定用の凸条部とを備える可撓止水部材を構造物の目地部に固定する可撓止水部材用の固定部材であって、
前記固定部材は、
前記構造物に取り付けられたアンカーボルトに長穴を介して締め付けられる締結部と、
前記締結部の一端に延設され前記可撓止水部材の前記凸条部を覆って前記凸条部の締め付けに伴う膨らみを抑制し回転を抑える溝側壁部を備える溝部と、
前記締結部の他端に延設され前記構造物表面に当てられて前記締結部と前記構造物との間に空間を形成する端縁支持部とを備えて一体として構成され、
前記固定部材は、前記アンカーボルトを中心に回転しない幅を有している、
ことを特徴とする。
【００１０】
前記締結部は、前記溝部より前記構造物表面からの距離が小さく形成されている、ことが好ましい。
【００１１】
前記端縁支持部は、前記締結部との間に、整流部が一体に形成されている、ことが好ましい。
【００１２】
前記固定部材は、隣接する前記固定部材同士の隙間をシールするシール部材を備える、ことが好ましい。
【００１３】
前記固定部材は、前記構造物の目地間を跨ぐ前記可撓止水部材の両端縁部を固定する、ことが好ましい。
【００１４】
前記固定部材は、前記構造物の目地間に一端部が埋設固定される前記可撓止水部材の他端縁部を固定する、ことが好ましい。
【発明の効果】
【００１５】
本発明によれば、可撓止水部材を介して固定部材に力が加わっても回転を抑えて止水性を確保することができる。
【図面の簡単な説明】
【００１６】
【図１】本発明の可撓止水部材用の固定部材の一実施の形態の部分断面図および目地間が縮んだ状態の部分断面図である。
【図２】本発明の可撓止水部材用の固定部材の一実施の形態の回転を説明する部分斜視図および断面図である。
【図３】本発明の可撓止水部材用の固定部材の一実施の形態のシール状態を説明する斜視図である。
【図４】本発明の可撓止水部材用の固定部材の一実施の形態の溝部を説明する断面図および部分断面図である。
【図５】本発明の可撓止水部材用の固定部材の一実施の形態の作用効果を説明する断面図である。
【図６】本発明の可撓止水部材用の固定部材の他の実施の形態の説明図である。
【図７】本発明の可撓止水部材用の固定部材のさらに他の実施の形態の説明図である。
【図８】本発明の可撓止水部材用の固定部材の一実施の形態の説明図である。
【図９】本発明の可撓止水部材用の固定部材の適用対象を説明する従来の固定部材の断面図および構造物の概略斜視図である。
【発明を実施するための形態】
【００１７】
以下、本発明の実施の形態について図面を参照して詳細に説明する。
本発明の可撓止水部材用の固定部材１０は、例えば図９に示す従来の固定部材５に代えて用いられるものであり、既設側のコンクリート製の構造物１と、新設側のコンクリート製の構造物２との目地部３の間に施工される可撓止水部材４の既設側の構造物１への固定部材５に代えて固定に用いられる。すなわち、従来の固定部材５は、構造物１に取り付けたアンカーボルト６に伸縮部４ａを備える可撓止水部材４の碇着部４ｂのボルト穴を入れ、押え板７を介してナット８で締め付けることで固定されていた。
これに対し、本願の固定部材１０は、可撓止水部材２０の固定に用いる。
固定対象となる可撓止水部材２０は、例えば、図１に示すように、変位を許容する伸縮部２１（図９の符号４ａ参照）と、伸縮部２１に延設され端縁部２２に設けられた固定用の凸条部２３とを備えて構成される。可撓止水部材２０を構造物１に固定する可撓止水部材２０用の固定部材１０は、構造物１に取り付けられたアンカーボルト６に長穴１１ａ（図２（ａ）参照）を介して締め付けられる締結部１１と、締結部１１の一端に延設され可撓止水部材２０の凸条部２３を覆って回転を抑える溝部１２と、締結部１１の他端に延設され構造物１の表面１ａに当てられて締結部１１を構造物１との間に空間Ｄを形成する端縁支持部１３とを備えて構成されている。
これにより、固定部材１０は、締結部１１の一端の溝部１２を可撓止水部材２０の凸条部２３にかぶせるようにし、締結部１１の他端の端縁支持部１３を構造物１の表面に当てた状態としてアンカーボルト６に中間の締結部１１を空間Ｄを狭めるように撓ませて締め付けることで固定するものである。
この場合、新設のコンクリートの構造物２への可撓止水部材２０の固定は、固定部材１０を用いることなく、図９に示したように、埋設部２４を、新設する構造物２の鉄筋２ａなどを介して固定しておき、打設するコンクリート内に埋設することで固定するようにしている。
なお、固定部材１０は、図示省略したが、可撓止水部材２０を構築後のコンクリートの構造物１，２の目地部３の内側に沿って目地部３を跨ぐように取り付ける場合にも適用できるものであり、この場合には、固定部材１０は、可撓止水継手２０の両端部の凸条部２３を介して固定するのに用いられる。
【００１８】
この固定部材１０での固定対象となる可撓止水部材２０は、変位を許容する伸縮部２１（図９の符号４ａ参照）と、伸縮部２１に延設され端縁部２２に設けられた固定用の凸条部２３とを備えるもので、端縁部２２に設けられる固定用の凸条部２３は、固定部材１０で固定する側に設けられれば良く、端縁部２２の少なくとも一方に設けられていれば良い。
【００１９】
可撓止水部材２０は、ゴムや合成樹脂などの弾性部材で構成され、例えば図８に示すように、必要な強度に応じて補強のための布が補強布２５として１層乃至複数層内層される。また、可撓止水部材２０は、補強布２５を内層せずに、可撓止水部材２０の施工の際に、外側を覆うように設置して用いられる場合もある。
【００２０】
変位を許容する伸縮部２１は、例えば、図９に示したように中空体の伸縮部４ａとされて構成されたものや例えば、図１に示す通常の可撓止水部材２０の伸縮部２１とされている、図示しない横断面形状が円弧状として１つの略Ω形状に形成されて構成されたもの、あるいは、図示しない複数の円弧状を連続させた略Ｗ字状に蛇行するよう構成したものなどが用いられる。伸縮部２１は、構造物１，２の不等沈下や地震時変位並びに温度変化等に起因する変位等を許容することができるものであれば、その形状は、何ら限定するものでない。
端縁部２２は、構造物１の表面１ａに設置できる平坦な帯状などであれば良く、形状などは、伸縮部２１と同様、特に限定するものでない。
【００２１】
固定用の凸条部２３は、例えば図１に示すように、端縁部２２において外側（構造物１の表面１ａに対する外側）に突き出すように一体に形成され、例えば、横断面形状が矩形に形成される。
凸条部２３の形状は、横断面形状を矩形とする場合に限らず、図示省略したが、台形状や頂部が外側に突き出し底辺が端縁部２２上に位置して一体に形成された三角形状などであっても良く、その形状は、何ら限定するものでなく、後述する固定部材１０の溝部１２で外側から構造物１の表面１ａに向かって押さえることができる形状であれば良い。
【００２２】
このような可撓止水部材２０を固定するための本願の固定部材１０は、例えば、図１及び図２に示すように、構造物１に取り付けられたアンカーボルト６に長穴１１ａを介して締め付けられる締結部１１と、締結部１１の一端に延設され可撓止水部材２０の凸条部２３を覆って回転を抑える溝部１２と、締結部１１の他端に延設され構造物１の表面１ａに当てられて締結部１１を構造物１との間に空間Ｄを形成する端縁支持部１３とを備えて構成される。
すなわち、固定部材１０は、金属板で一体に成形されており、一端の溝部１２で可撓止水部材２０の凸条部２３を覆うように押さえ、他端の端縁支持部１３を構造物１の表面１ａに当てた状態で、中間部の締結部１１を空間Ｄを狭めるように撓ませてアンカーボルト６で締め付けるものである。
【００２３】
締結部１１は、構造物１の表面１ａに植設されたアンカーボルト６に締め付けて固定される部分であり、アンカーボルト６のピッチの変化に対応できるように長穴１１ａが形成され、目地部３に沿う長手方向のピッチの変化に対応する。また、締結部１１は、これまでの押え板とは異なり構造物１の表面１ａとの間には、可撓止水部材２０の端縁部２２を挟むことなく締結部１１だけでアンカーボルト６にナット８で締め付けられる。この締め付け状態では、締結部１１と構造物１の表面１ａとの間には、空間Ｄが形成される状態となる。
なお、長穴１１ａをアンカーボルト６のピッチ方向と直交する方向に形成すれば、この方向のアンカーボルト６の植設の位置ずれにも簡単に対応することができる。
【００２４】
締結部１１の一端、目地部３側には、溝部１２が一体に設けられる。締結部１１の一端から上方、構造物１の表面１ａから離れる方に曲げ起こされて断面コ字状の溝部１２が形成され、構造物１の表面１ａ側に向けて開口している。
この固定部材１０の溝部１２は、両側の溝側壁部１２ａが可撓止水部材２０の凸条部２３の間隔で形成されており、溝部１２に装着された凸条部２３の３方を外側から覆うことができるようになっている。
このような溝部１２で可撓止水部材２０の凸条部２３を三方から覆うことで、固定部材１０で締め付けるようにしても、図４に示すように、弾性部材の凸条部２３の溝側壁部１２ａが外側に膨らむことを防止して、同図（ｂ）に示すように、構造物１の表面１ａ側に弾性変形に伴う押し付け力として作用させることができ、止水性を向上することができる。
【００２５】
また、固定部材１０は、目地部３に沿う方向の幅Ｂが、図２に示すように、１本のアンカーボルト６に締め付けた状態でも溝部１２とこれに装着された凸条部２３によってアンカーボルト６を中心に回転しないような幅Ｂが確保してある。すなわち、固定部材１０の溝部１２が幅Ｂを備えて可撓止水部材２０の凸条部２３を覆っているので、構造物１の表面１ａに垂直な軸周りの回転を防止することができる。
なお、固定部材１０の幅Ｂは、１個の固定部材１０に対し、複数のアンカーボルト６への装着用の長穴１１ａが形成されたものであっても良く、構造物１の表面１ａの不陸などがあっても止水性を確保して取り付けることができる幅Ｂに設定すれば良い。したがって、固定部材１０の幅Ｂは、すべてが一定である必要はなく、異なる幅Ｂのものが用いられる場合もある。
また、固定部材１０は、図３に示すように、隣接する固定部材１０同士の隙間を塞ぐようにシール部材であるテープ１４でシールするようにする。こうすることで、目地部３の間の隙間がシール部材であるテープ１４で塞がれ、ごみなどが滞留することを防止することができる。
【００２６】
締結部１１の他端には、斜め下方に突き出すように端縁支持部１３が一体に設けられている。この端縁支持部１３の先端を構造物１の表面１ａに当てることで、溝部１２に装着された可撓止水部材２０の凸条部２３の底面が構造物１の表面１ａ上に位置し、アンカーボルト６に長穴１１ａを介して装着された締結部１１には、構造物１の表面１ａから離れた空間Ｄが形成された状態となる。
このような固定部材１０で可撓止水部材２０を押さえた状態で、アンカーボルト６にナット８をねじ込んで締め付けると、端縁支持部１３を支点に固定部材１０が撓むように締め付けられ、溝部１２内の凸条部２３が構造物１の表面１ａに押し付けられて密着状態となって止水される。
これにより、可撓止水部材２０は、アンカーボルト６を介して固定部材１０の撓み力を加えて固定することができる。
【００２７】
このような固定部材１０では、締結部１１のアンカーボルト６への取り付け高さ（構造物１の表面１ａからの距離）が低く（距離が小さく）、可撓止水部材２０に加わる水圧により、図２（ｂ）に示すように、端縁部２２を引き剥がすような力が加わってもナット８の下面にモーメントの中心Ｏが位置することとなり、引き剥がすモーメント（構造物１の表面１ａと平行な軸周りのモーメント）がこれまでより小さく、止水性を向上することができる。
また、この可撓止水部材２０の端縁部２２を引き剥がすモーメントを同一とすれば、アンカーボルト６のサイズを小さいものにでき、同一の止水性を確保することができる。
また、アンカーボルト６に締め付けるナット８の位置が構造物１の表面１ａからの距離が小さくなる（モーメントの中心Ｏが低くなる）ことから、図１（ｂ）に示すように、可撓止水部材２０の端縁部２２を目地部３内に固定した場合に、構造物１，２が接近する目地部３に縮みが生じても構造物２とアンカーボルト６との干渉を防止することができる。
特に、図５（ａ）に示すように、可撓止水部材２０の伸縮部２１がつぶれるように変形した場合には、従来の構造では、伸縮部２１がアンカーボルト６のねじ山と接触し、可撓止水部材２０の損傷を招いてしまう恐れがあったが、本発明における固定部材１０を使用した場合においては、変形空間ｄによって干渉を防止して止水状態を確保することができる。
【００２８】
固定部材１０では、端縁支持部１３が構造物１の表面１ａからの高さが低く、次いでアンカーボルト６のナット８が高く、溝部１２が最も高く形成されて順に高くなることから、固定部材１０の端縁支持部１３から溝部１２に向かう流れがスムーズとなり、例えば図２（ｂ）中に矢印で示すように、渦などの乱流発生を防止することができる。
これにより、固定部材１０は、構造物１内を流れる流体が遮られず、整流効果を有した状態で取り付けられることになる。
この整流効果は、特に構造物１の目地部３を跨いで水路となる構造物１の内側の表面１ａに可撓止水部材２０の両端部を固定する場合に一層有効となり、流路抵抗を低減することができる。
【００２９】
次に、固定部材１０による整流効果を増大するための整流部１５の形状について説明する。
例えば、図６（ａ）に示す整流部１５ａは、締結部１１の端縁支持部１３を内側に曲げ加工した折り曲げ部１３ａを備え、さらに、端縁支持部１３の内側に構造物１の表面１ａからほぼ垂直に突き出すように逆Ｕ字状に折り曲げて形成され、整流部１５ａの高さがほぼ溝部１２と同一に形成されている。
固定部材１０は、このような整流部１５ａを備えることで、アンカーボルト６及びナット８が整流部１５ａと溝部１２との間に隠れた状態となるとともに、端縁支持部１３の端面が平坦面でなく曲面となることで、整流部１５ａによって流れをスムーズにすることができる。
また、例えば、図６（ｂ）に示す整流部１５ｂは、整流部１５ａに比べて構造物１の表面１ａからの突き出し高さを低くするとともに、端縁支持部１３側を傾斜面とするように曲げ加工して形成されている。
固定部材１０は、このような整流部１５ｂを備えることで、アンカーボルト６及びナット８に向かう流れを傾斜面で構成された整流部１５ｂによって一層スムーズにすることができる。
【００３０】
さらに、例えば、図６（ｃ）に示す整流部１５ｃは、端縁支持部１３を内側に曲げ加工した折り曲げ部１３ａで構成し、折り曲げ部１３ａに連続した傾斜面が形成されて構成してある。整流部１５ｃは、整流部１５ａと同程度の構造物１の表面１ａからの突き出し高さとしてある。
固定部材１０は、このような整流部１５ｃを備えることで、端縁支持部１３の端面が平坦面でなく曲面となり、さらに、アンカーボルト６及びナット８に向かう流れを１つの傾斜面で構成された整流部１５ｃによって整流することができ、一層スムーズに整流することができる。
【００３１】
固定部材１０は、構造物１の表面１ａへの設置高さを低くすることが可撓止水部材２０に加わる水圧などによる止水性低下の回避や可撓止水部材２０の変形時のアンカーボルト６のねじ山との干渉の回避に有効である。
このためアンカーボルト６を、図７（ａ）に示すように、樹脂カプセル６ａを介して構造物１に植設するようにしている。これにより、アンカーボルト６の上端位置を調整し、アンカーボルト６のナット８からの突き出し量を最小限にすることができる。
さらに、アンカーボルト６に代えて樹脂カプセル６ａとインサートアンカーとして六角ボルト６ｂを用いることで、ナット８の場合に比べ、アンカーボルト６からのねじの突き出しを無くすことができる。
これにより、固定部材１０による可撓止水部材２０の固定高さを低く抑えることができる。
【００３２】
以上、実施の形態とともに、具体的に説明したように、本発明の可撓止水部材用の固定部材１０によれば、変位を許容する伸縮部２１と、伸縮部２１に延設され端縁部２２に設けられた固定用の凸条部２３とを備える可撓止水部材２０を構造物１，２の目地部３に固定する可撓止水部材２０用の固定部材１０であって、固定部材１０は、構造物１に取り付けられたアンカーボルト６に長穴１１ａを介して締め付けられる締結部１１と、締結部１１の一端に延設され可撓止水部材２０の凸条部２３を覆って凸条部２３の締め付けに伴う膨らみを抑制し回転を抑える溝側壁部１２ａを備える溝部１２と、締結部１１の他端に延設され構造物１の表面１ａに当てられて締結部１１と構造物１との間に空間Ｄを形成する端縁支持部１３とを備えて一体として構成され、固定部材１０は、アンカーボルト６を中心に回転しない幅Ｂを有しているので、可撓止水部材２０に取り付け孔を開けずに凸条部２３に溝部１２を被せて固定部材１０の締結部１１をアンカーボルト６で締め付けて固定することができ、可撓止水部材２０を介して力が加わっても止水性を確保することができる。また、凸条部２３に固定部材１０の溝部１２を被せることで、アンカーボルト６を中心とする固定部材１０の回転を抑えて止水性を確保することができる。
さらに、固定部材１０に長穴１１ａを設けてアンカーボルト６で固定するようにしたので、アンカーボルト６の植設ピッチにずれや変更があっても簡単に対応することができる。また、長穴１１ａをアンカーボルト６のピッチ方向と直交する方向に形成すれば、この方向のアンカーボルト６の植設の位置ずれにも簡単に対応することができる。
【００３３】
また、溝部１２は、凸条部２３の締め付けに伴う膨らみを抑制して構造物１の表面１ａへの面圧を増大し得る溝側壁部１２ａを備えているので、可撓止水部材２０の凸条部２３の弾性力を止水のための面圧増大に利用することができ、一層止水性を高めて固定することができる。
【００３４】
本発明の可撓止水部材用の固定部材１０によれば、締結部１１は、溝部１２より構造物１の表面１ａからの距離が小さく（低く）形成してあるので、可撓止水部材２０の取り付け高さを低くすることができる。これにより、目地部３を跨いで可撓止水部材２０を取り付ける場合には、取付箇所の障害物への干渉を少なくすることができ、目地部３内（目地間）に可撓止水部材２０を取り付ける場合には、目地間が狭くても取り付けることができ、目地間が縮み方向に変位しても構造物１との干渉やアンカーボルト６のねじ山との干渉を防止することができる。
【００３５】
本発明の可撓止水部材用の固定部材１０によれば、端縁支持部１３は、締結部１１との間に、整流部１５が一体に形成されているので、整流板などを別に用意することなく、固定部材１０に沿って滑らかな水流にすることができ、流路抵抗を小さくすることができる。
【００３６】
本発明の可撓止水部材用の固定部材１０によれば、固定部材１０は、隣接する固定部材１０同士の隙間をシールするシール部材１４を備えているので、固定部材１０を隙間なく取り付けることができ、ゴミなどの滞留を防止してスムーズな流れを確保することができる。これにより、流路の清掃などのメンテナンスの手間を減らすことができる。
【００３７】
本発明の可撓止水部材用の固定部材１０によれば、固定部材１０は、構造物１の目地部３間を跨ぐ可撓止水部材２０の両端縁部を固定するようにしたので、固定部材１０の高さを抑えて流路の確保が容易となる。
【００３８】
本発明の可撓止水部材用の固定部材１０によれば、固定部材１０は、構造物１の目地間に一端部が埋設固定される可撓止水部材２０の他端縁部を固定するようにしたので、目地間が狭くとも可撓止水部材２０を取り付けることができ、目地間が縮むように変位する場合でも構造物１との干渉を防止することができる。
【００３９】
なお、上記実施の形態で説明した可撓止水部材２０は、一例に過ぎず、伸縮部２１や凸条部２３の形状は、図示例に限らず、他の形状の可撓止水部であっても良い。
また、固定部材１０の構成も上記実施の形態で説明したものに限らず、同一の機能を備えたものであれば、何ら限定するものでない。
【符号の説明】
【００４０】
１      構造物（コンクリート製）
１ａ    表面
２      構造物（コンクリート製）
３      目地部
４      可撓止水部材
４ａ    伸縮部
６      アンカーボルト
６ａ    樹脂カプセル
６ｂ    六角ボルト
８      ナット
１０    固定部材
１１    締結部
１１ａ  長穴
１２    溝部
１２ａ  溝側壁部
１３    端縁支持部
１３ａ  折り曲げ部
１４    テープ（シール部材）
１５    整流部
１５ａ  整流部
１５ｂ  整流部
１５ｃ  整流部
２０    可撓止水部材
２１    伸縮部
２２    端縁部
２３    凸条部
２４    埋設部
２５    補強布
Ｂ      固定部材の幅
Ｄ      空間
ｄ      変形空間
Ｏ      モーメントの中心
【図１】
0006644601.tif 000002
【図２】
0006644601.tif 000003
【図３】
0006644601.tif 000004
【図４】
0006644601.tif 000005
【図５】
0006644601.tif 000006
【図６】
0006644601.tif 000007
【図７】
0006644601.tif 000008
【図８】
0006644601.tif 000009
【図９】
0006644601.tif 000010